(57)【要約】      （修正有）【課題】果柄の切り取りが片手でできる優れた操作性と、刃先部が指などに干渉することのない安全性と、少ない力でも切り取ることができるといった労力負担の軽減に優れた摘み取り器を提供する。【解決手段】刃体部２０と指サック部３０から構成され、刃体部は、刃先の形状が指の付け根方向に向かって、略Ｕ字状に湾曲した形状を有し、指サック部は、人差し指の中手指節関節から、近位指節間関節の間に嵌める構成の人差指サック４０と、中指の中手指節関節から、近位指節間関節の間に嵌める構成の中指サック５０とから構成され、人差指サックと中指サックとが、その間を懸架するように刃体部を介して連結されていることを基本構成とした。【選択図】図1
0003187862.tif 000002
【実用新案登録請求の範囲】
【請求項１】
刃体部と指サック部から構成される摘み取り器であって、
前記刃体部は、刃先の形状が指の付け根方向に向かって、略Ｕ字状に湾曲した形状を有し、
前記指サック部は、
人差し指の中手指節関節（ＭＰ）から、近位指節間関節（ＰＩＰ）の間に嵌める構成の人差指サックと、
中指の中手指節関節（ＭＰ）から、近位指節間関節（ＰＩＰ）の間に嵌める構成の中指サックとから構成され、
前記人差指サックと前記中指サックとが、その間を懸架するように前記刃体部を介して連結されていることを特徴とする摘み取り器。
【請求項２】
前記指サック部において、
薬指の中手指節関節（ＭＰ）から、近位指節間関節（ＰＩＰ）の間に嵌める構成の薬指サックが、前記中指サックに連結されている連結指サック部であることを特徴とする請求項１に記載の摘み取り器。
【請求項３】
前記人差指サックの親指側側面に着脱用開口部を有していることを特徴とする請求項１又は請求項２に記載の摘み取り器。
【請求項４】
前記着脱用開口部に、装着状態調整機構を備えていることを特徴とする請求項３に記載の摘み取り器
【請求項５】
前記刃体部が、人差指サックと前記中指サックの間に設けたホルダーを介して交換可能であることを特徴とする請求項１から請求項４のいずれかに記載の摘み取り器。
【請求項６】
前記各指サックの素材が弾性材によって形成され、各指サックの一部又は全部にスリット部を設けたことを特徴とする請求項１、請求項２、請求項５のいずれかに記載の摘み取り器。
【考案の詳細な説明】
【技術分野】
【０００１】
本考案は、野菜、果樹等のみを収穫するときに用いる摘み取り器に関し、詳しくは、加賀らの切り取りが片手でできる操作性と、刃先部が指などに干渉することのない安全性に優れる摘み取り器に関するものである。
【背景技術】
【０００２】
昨今、農家戸数の減少とともに、農業就業者数も減少傾向にある。これは欧米諸国等でも共通してみられる傾向であるが、我が国の場合では、係る減少のみならず高齢化が同時に大きく進んでいることが特徴であり、大きな問題となっている。これらの原因は、若者の農業離れにあるといえるが、その要因の一つに、農業作業における労力負担の大きさがある。特に農業機械に頼る事ができない柑橘系果樹などの収穫作業においては、人為的な摘み取り作業が必要であり、高所に育成した果実を下方から手を伸ばして収穫する作業等は、腕や肩などに大きな負担が強いられ、肉体的な労力負担が大きいという問題がある。即ち、若者の農業離れを防止すると共に、高齢化が進む農業就業者の負担を軽減する技術の提案が待ち望まれている。
【０００３】
また、水はけのよい土壌でよく育つレモンやミカンでは、傾斜角が３０度以上になるような山の急傾斜面で収穫することも多いため、ビニールハウス栽培や平坦な土壌に育成している果樹園等での収穫作業とは異なり、足場が不安定で作業性が悪い。従って、両手を必要とする収穫方法では危険を伴い、安全性が確保されているとは言い難い現状である。
【０００４】
これらの上記問題点を解決すべく、従来からも種々の技術が提供されている。例えば、「親指に挿入して固定できる筒部と、該筒部から所定の角度を有して外周方向に伸延する偏平な支持部と、該支持部先端に形成された切欠部と、該切欠部の内奥部に固定された刃部とから成ることを特徴とする野菜等の摘み取り器。」がある（特許文献１参照）。しかしながら、係る技術は、果実を間引くための摘果作業に好適な摘み切り器に関する技術であり、親指と人差指とで摘む状態において刃先を指に押し当てて切り取るので、指先を切ってしまうリスクを完全に除去しているとはいえない。
【０００５】
また、「刃部が上面に露出して見えるので安全で、しかも刃部の研磨が容易で、繰り返し使用できる安価な指装着形収穫爪」も提供されている（特許文献２参照）。係る技術は、刃先を指で挟まないため安全であるが、金属刃が親指に対し90度に屈曲した状態に備えられるため、大きな力を加えると金属刃の付け根部分に応力が集中し、曲げ変形などを起こしやすいものと思量される。
【０００６】
また、「人差指に挿入し、野菜や果実を摘み取る為の菜果切断用指ハサミにおいて、該人差指挿入部は指輪型に構成し、該人差指挿入部から下方に替刃方式に構成した切断刃挿入部を突出し、該切断刃挿入部に設けた切断刃挿入溝に剃刀刃を挿入抜出可能とした。また、人差指を挿入する指輪型の切断刃側挿入部の中心と、剃刀刃の切断方向とを距離だけ親指側に偏心させる技術」も提案されている（特許文献３参照）。しかしながら、係る技術では、親指と人差指とで摘む状態において刃先を指に押し当てて切り取るので、指先を切ってしまうリスクが残っている。
【０００７】
また、「親指に装着して、片手で摘むように摘果作業を行うための摘み切り器であって、親指に挿入して固定可能な筒部と、筒部の外周から外側に突出していると共に、刃先の伸びる方向が、筒部の軸線方向に対して、刃先に向って見たときに右側又は左側のいずれかの方向へ傾斜するように形成されている切断刃とを有する摘み切り器。この摘み切り器によると、自然に腕を突き出した手の姿勢で容易に切断作業をすることができると共に、指に余り力を入れることなく果枝を切断することができる技術」も提案されている（特許文献４参照）。しかしながら、係る技術では、刃先が親指の爪の延長上に存在しているが、ホルダー部が親指の指節間関節と中手指節関節の間で保持されるため、指先の力が入りにくく、自分の爪先で切り取る感覚を得られるものではない。
【０００８】
なお、上記いずれの発明または考案も、指先の力を使って摘み取ることを基本としており、労力負担が大きく、また、急傾斜による不安定な作業状態において、片手で作業ができないという欠点を残している。
【０００９】
なお、本考案者は、本願の考案を完成する以前に、片手でもできる摘み取り器として、「嵌める指サックと、人差し指に嵌める指バンドと、から構成される摘み取り器であって、前記指サックは、上部に交換可能な刃体を装着するホルダーを備え、該ホルダーに装着される前記刃体は、親指の爪の根元から爪の先端方向に向かう略延長上に設けられ、該刃先の形状は、中央部分より下方両側に先端から基部までの全体が凸円弧状に湾曲するとともに、刃先は先端を中心として後方左右に凸円弧状の形状を有して成り、前記指バンドは、前記刃物の刃先を受けるシートが中節骨領域に張りつけられて成り、前記指サックを親指に嵌め、前記指バンドを人差し指に嵌め、親指の末節骨と中節骨の間のIP関節（指節間関節）を略９０度に屈曲させた状態において、前記刃体の刃先が前記指バンドの前記シートに略垂直に当たる配置構成を採用したことを特徴とする摘み取り器」について、既に実用新案権を取得し、その技術を公開している（特許文献５参照）。
【００１０】
係る技術は、自分の爪の延長上に摘み取り用の刃部を設けたことで、特許文献３に記載された技術とは異なり、まるで自分の爪先で切り取るような感覚で摘み取り作業を可能とする摘み取り器であり、作業感覚に優れ、また、指先の力が効率良く切り取り部に作用する為、切り取り易いものである。しかしながら、親指と人差し指で挟み込むため、刃先を指に押し当てて切り取るので、指先を切ってしまうリスクを完全に除去しているとはいえず、また、基本的には指先の力を用いるため、手首のような大きな関節を使って、より少ない力で容易に摘み取りを可能とする課題を残していたといえる。
【００１１】
そこで、本考案者は、より安全で、より少ない力により、片手でも容易に果実等の摘み取りを可能とする安全な本考案に係る摘み取り器を完成させるに至ったものである。
【先行技術文献】
【特許文献】
【００１２】
【特許文献１】実登第３０９１１６９号公報
【特許文献２】実登第３１７９６８４号公報
【特許文献３】特開平９−１２１６７９号公報
【特許文献４】実開昭６０−７２１２６号公報
【特許文献５】実登第３１８１３３０号公報
【考案の概要】
【考案が解決しようとする課題】
【００１３】
本考案は、上記問題点に鑑み、果柄（個々の実を支える柄のことで、果梗（かこう）とも呼ぶ。）の切り取りが片手でできる優れた操作性と、刃先部が指などに干渉することのない安全性と、少ない力でも切り取ることができるといった労力負担の軽減に優れた摘み取り器の技術提供を図る。
【課題を解決するための手段】
【００１４】
本考案は、刃体部と指サック部から構成される摘み取り器であって、前記刃体部は、刃先の形状が指の付け根方向に向かって、略Ｕ字状に湾曲した形状を有し、前記指サック部は、人差し指の中手指節関節（ＭＰ）から近位指節間関節（ＰＩＰ）の間に嵌める構成の人差指サックと、中指の中手指節関節（ＭＰ）から近位指節間関節（ＰＩＰ）の間に嵌める構成の中指サックと、から構成され、前記人差指サックと前記中指サックとが、その間を懸架するように前記刃体部を介して連結されている構成の摘み取り器とした。
【００１５】
また、本考案は、前記指サック部において、薬指の中手指節関節（ＭＰ）から、近位指節間関節（ＰＩＰ）の間に嵌める構成の薬指サックが、前記中指サックに連結されている指サック部である構成の前記摘み取り器とすることもできる。
【００１６】
また、本考案は、前記人差し指の親指側側面に着脱用開口部を有していることを特徴とする構成の前記摘み取り器とすることもできる。
【００１７】
また、本考案は、前記着脱用開口部に装着状態調整機構を備えている構成の前記摘み取り器とすることもできる。
【００１８】
また、本考案は、前記刃体部が人差し指のサックと中指のサックの間に設けたホルダーを介して交換可能である構成の前記摘み取り器とすることもできる。
【００１９】
また、本考案は、前記各指サックの素材が弾性材によって形成され、各指サックのいずれか又は全部にスリット部を設けた構成の前記摘み取り器とすることもできる。
【考案の効果】
【００２０】
本考案に係る摘み取り器によれば、果柄の切り取りが片手でできる優れた操作性と、刃先部が指などに干渉することのない安全性と、少ない力でも切り取ることができるといった労力負担の軽減に優れた効果を奏する。
【００２１】
また、本考案に係る摘み取り器によれば、柑橘類に代表される常緑性果樹、仁果類や核果類などに代表される落葉性果樹、更には熱帯果樹までも、摘み取れる果実の適用範囲が広くまた、畑で摘み取るナスやピーマンといった野菜類の摘み取りにも同様の効果を発揮可能といった優れた効果を発揮する。
【図面の簡単な説明】
【００２２】
【図１】本考案に係る摘み取り器の全体構成説明図である。
【図２】本考案に係るサック部にスリットを用いた場合の構成説明図である。
【図３】本考案に係るサック部に着脱用開口部を設けた場合の構成説明図である。
【図４】本考案に係る摘み取り器の刃体部の構成説明図である。
【図５】本考案に係る摘み取り器の使用説明図である。
【図６】本考案に係る摘み取り器を正面から見た使用状態説明図である。
【図７】本考案に係る摘み取り器を側面から見た使用状態説明図である。
【考案を実施するための形態】
【００２３】
本考案に係る摘み取り器１０は、刃体部２０と指サック部３０から構成され、前記刃体部２０は、刃先２１の形状が指の付け根方向に向かって、略Ｕ字状に湾曲した形状を有し、前記指サック部３０は、人差し指の中手指節関節（ＭＰ）から近位指節間関節（ＰＩＰ）の間に嵌める構成の人差指サック４０と、中指の中手指節関節（ＭＰ）から近位指節間関節（ＰＩＰ）の間に嵌める構成の中指サック５０とから構成され、前記人差指サック４０と前記中指サック５０とが、その間を懸架するように前記刃体部２０を介して連結されていることを最大の特徴とするものである。以下、実施例を図面に基づいて説明する。
【００２４】
図１は、本考案に係る摘み取り器１０の全体構成説明図であり、図１（ａ）は人差指サック４０と中指サック５０の二つの指サック部３０が、これらを懸架するように刃体部２０を介して連結され、本考案に係る摘み取り器１０が、人差指と中指の２本指で保持する構成である場合の基本的な全体構成を示し、図１（ｂ）は、中指サック５０に薬指サック６０を連結した連結指サック部３２と人差指サック４０とが、これらを懸架するように刃体部２０を介して連結され、本考案に係る摘み取り器１０が、人差指と中指と薬指の３本指で保持する構成である場合の基本的な全体構成を示している。
【００２５】
指サック部３０は、作業者の指を通して、本考案に係る摘み取り器１０を保持するための筒状体であり、素材には革、合成革、繊維系素材、或いはプラスチックなどで、指の力や手首の力で多少変形する程度の硬さと弾性特性を有する素材を用いる。指サック部３０が２本指で保持する構成の場合は、図１（ａ）に示すように、人差指サック４０と前記中指サック５０の間にホルダー２２を設ける構成となり、３本指で保持する構成の場合には図１（ｂ）に示すように、人差指サック４０と前記中指サック５０の間にホルダー２２を設ける構成の他に、該中指作５０に更に薬指サック６０を連結した連結指サック部３２である。各サックの長さは中手指節関節（ＭＰ）から近位指節間関節（ＰＩＰ）の間に嵌める構成の長さとする。内径については使用者の指の太さに個人差があるので、各種のサイズを用意することが望ましい。
【００２６】
図２は、本考案に係るサック部にスリットを用いた場合の構成説明図である。図２（ａ）は人差指サック４０と中指サック５０の二つのサックにより、２本指で保持する構成のサック部３０である場合において、更にスリット部３１が設けられている状態を示し、図２（ｂ）は、これに加え、更に薬指サック６０が追加された三つのサックにより、３本指で保持する構成のサック部３０である場合において、また更にスリット部３１が設けられている状態それぞれ示している。
【００２７】
指サック部３０は、前記の通り、素材に弾性材を用いて形成されると共に、図２に示すように、各指サックの一部又は全部にスリット部３１を設けて、取り外しや使用感の向上に資する構成を採用することも有効である。なお、図面には全てのサック部３０に係るスリットが全部に設けられている状態を示しているが、これは例示であって、この図面によって限定的な要件を示すものではない。スリット部３１の配置位置についても同様である
【００２８】
図３は、本考案に係る人差指サック４０に着脱用開口部４１を設けた場合の構成説明図であり、図３（ａ）は、人差指サック４０の親指側側面に着脱用開口部４１を設けた状態を示し、図３（ｂ）は、係る着脱用開口部４１に更に装着状態調整機構４２が備えられた状態を示している。
【００２９】
係る着脱用開口部４１を設ける構成を採用した場合は、人差指サック４０の側部を大きく開口できるため、一度装着した後でも、人差し指だけを外すことができ、指先の動きが規制される状態から自由な状態への離脱が容易となる。特に果柄Ｋ１が細く摘み取り力が小さいものであれば、摘み取り作業従事者の手Ｈへの保持・固定力は小さくて良いため、開口部の面積を大きくして着脱の容易性を高くすることも有効である。
【００３０】
他方、果柄Ｋ１が太く堅い場合は、摘み取り作業従事者の手Ｈへの保持・固定力が必要となる。そこで、図３（ｂ）に示すような装着状態調整機構４２を有する構成にすれば、指にもフィットし、サック内での指の動きに遊びがなくなり、使用感や力の入り方等々の作業効率が向上する。
【００３１】
図３（ｂ）には、装着状態調整機構４２として、ベルト４５を開口部の一端に固定されたベルト４５を突出させ、他端側に設けたフック４４を介して折り返し、マジックテープ（登録商標）等の面ファスナ４３によって固定する実施形体を例示している。しかし、本考案に係る装着状態調整機構４２はこれに限定されるものではなく、例えば、サック部３０の素材の伸縮力を利用してジッパー等の線ファスナや紐体、或いはフックやボタンなどで係止するようなものでも良い。若しくは、これらの紐体やフックなど自体に弾性部材を用いて装着状態における締め付け力を調整可能とするものでもよい。なお、図面上では、マジックテープ（登録商標）等の面ファスナ４３が示されている位置が、ベルト４５の外側及び人差指サック４０内側に貼り付けられているように見えるが、これらそれぞれの配置面は反対の面となる。概略の配置位置の参考として示すものである。
【００３２】
図４は、本考案に係る摘み取り器１０の刃体部２０の構成説明図である。図中右上段の図はＡ―Ａ部の断面を示しており、下方の図は刃体部２０が指サック間を懸架するようにするように連結されていることを示している。刃体部２０は、果実Ｋ等の摘み取りのために果軸Ｋ２から果実Ｋの間に伸びる果柄Ｋ１を切断するための刃部である。該刃体部２０の素材には、一般的な刃物用の素材を用いればよい。例えば、鋼や炭素鋼である。更に錆などによるメンテナンスを考慮してステンレス鋼やチタンといった耐腐食性に優れた金属を用いることが望ましく、更には、切れ味が低下し難いセラミックス刃や単結晶シリコンなども高価ではあるが有効である。形状については、平坦な板材に刃先２１の形状が指の付け根方向に向かって、略Ｕ字状に湾曲した形状を有し、場合によっては、前記刃先２１が、前記人差指サック４０と前記中指サック５０の長手方向から手のひら方向に向かって傾斜する傾斜角を備えるようにした構成の前記刃体部２０とすることも有効である。
【００３３】
なお、刃体部２０取り付け位置となるホルダー２２が果実Ｋ側にオフセットして取り付けられているように図面上には示しているが、懸架する指サック３０間の中心位置に配置すれば、右利き左利きのいずれを問わず、左右どちらの手Ｈでも使用することができるので、汎用性を高めたい場合は、ホルダー２２を中心に配置する。但し、図４のように果実Ｋ側に刃体部２０をオフセットして取り付けた場合は、果柄Ｋ１を短く切り取りできると共に、果実Ｋ１の固定端から短い位置で切断することで、果柄Ｋ１の伸びや撓みによる切断性の悪化を防止できる点で有効である。
【００３４】
また、係る刃体部２０は、人差指サック４０と前記中指サック５０の間にホルダー２２を設け、これを介して交換可能であるとする構成を採用することも望ましい。例えば、人差指サック４０と前記中指サック５０の間に、該刃体部２０を差し込む溝が形成されたホルダー２２に差し込み、固定用ネジ２４で固定する構造などである。切れ味が悪くなった場合は刃体部２０のみの交換で済めば作業に支障をきたす時間を少なくすることが可能になる。
【００３５】
刃先部２１は、刃体部２０に略Ｕ字方に成形された刃物である。従来技術に係る先行技術文献に記載されている摘み取り器の多くは、指先の腹部を使って挟むようにしたもので、切り込み方向が刃部の刃と垂直方向となるため、力ばかりが必要でよく切れないものが多かった。本考案に係る刃先部２１を略Ｕ字状にしたのは、係る刃物を果柄Ｋ１に対して真っ直ぐに押し込んでも、果柄Ｋ１の外周縁部をスライドしながら斜めに切り込んでいくため、堅い果柄Ｋ１でも切り取りやすくなる効果を発揮している。
【００３６】
次に、本考案に係る摘み取り器１０の着用について説明する。
人差指サック４０、中指サック５０、又はこれらと薬指サック６０の各指サック内にそれぞれの指を挿入し、各サック部が、各指の中手指節関節（ＭＰ）から、近位指節間関節（ＰＩＰ）の間に入るように嵌める。なお、着脱用開口部４１を有する構成の摘み取り器１０では、人差指サック４０の着脱用開口部４１を親指側に大きく開いたまま、先ず、他の各指サックに中指、薬指を先に挿入し、最後に人差指を該着脱用開口部４１から人差指サック４０内に閉じるようにして装着する。更に、装着状態調整機構４２を有する構成では、例えば、マジックテープ（登録商標）のような面ファスナのうち、ループ面又はフック面のいずれかが貼着されているバンド４５を、フック４４を介して引っ張り、適度な固定力が得られる位置で折り返して、人差指サック４０に貼着されたループ面又はフック面のいずれかに係止する。
【００３７】
図５は、本考案に係る摘み取り器１０の基本的な使用説明図である。摘み取りに際しては、果柄Ｋ１に対し、垂直に刃先２１が入り込むように真っ直ぐ切り取るのが基本的である。方向は図５に示すように果軸Ｋ２の先端へ向かう方向と同方向とする。
【００３８】
図６及び図７は、果柄Ｋ１が長く、真っ直ぐ押して切り取ろうとしても、果柄Ｋ１が引っ張られるだけで切りとりにくい時等における他の切り取り方法を示しており、図６は正面から、図７は側面から見たそれぞれの状態を示している。いずれも（ａ）から（ｃ）にかけて示されるように、果柄Ｋ１に刃先２２が食い込んだ状態から手首を返して切り取る方法である。果軸Ｋ２との方向から外方向に回り込むような動きになる。
【産業上の利用可能性】
【００３９】
本考案に係る摘み取り器１０は、上記に示した果実Ｋに代表されるような、柑橘系果実の収穫作業において、特に優れた効果を発揮するものであるが、本考案に係る摘み取り器１０は、柑橘系果樹に実る果実Ｋの摘み取り作業に資するものだけではなく、ナスやピーマンといった畑で栽培される野菜の摘み取り器としても利用できるため、その産業状利用可能性は大きいものである。
【符号の説明】
【００４０】
１０  摘み取り器
２０  刃体部
２１  刃先
２２  ホルダー
２４  固定用ネジ
３０  指サック部
３１  スリット部
３２  連結指サック部
４０  人差指サック
４１  着脱用開口部
４２  装着状態調整機構
４３  面ファスナ
４４  フック
４５  ベルト
５０  中指サック
６０  薬指サック
Ｋ    果実
Ｋ１  果柄
Ｋ２  果軸
Ｈ  手
【図１】
0003187862.tif 000003
【図２】
0003187862.tif 000004
【図３】
0003187862.tif 000005
【図４】
0003187862.tif 000006
【図５】
0003187862.tif 000007
【図６】
0003187862.tif 000008
【図７】
0003187862.tif 000009